(57)【要約】【課題】軟便又は水状軟便の拡散を最小化し、体液漏れを防止するとともに、皮膚炎やカブレの発生を防止する。【解決手段】表面側に配置されるトップシート３と、裏面側に配置されるバックシート２と、前記シート２，３間に介在された吸収体４とを具備するとともに、前記吸収体４に排泄物を収納保持する便ポケット４ａを設けた使い捨ておむつ１において、前記吸収体４内部に高吸収性ポリマーが混入されているとともに、前記便ポケット４ａ以外の部分では前記高吸収性ポリマー１２が表層側に偏在して配置され、前記便ポケット４ａではその周壁部及び底面部に偏在して配置された構造とする。【選択図】図５
2007117727.tif 000002
【特許請求の範囲】
【請求項１】
少なくとも、表面側に配置されるトップシートと、裏面側に配置されるバックシートと、前記シート間に介在された吸収体とを具備した使い捨ての吸収性物品において、
前記吸収体内部に高吸収性ポリマーが混入されているとともに、前記高吸収性ポリマーの一部又は全部が表層側に偏在して配置されていることを特徴とする吸収性物品。
【請求項２】
少なくとも、表面側に配置されるトップシートと、裏面側に配置されるバックシートと、前記シート間に介在された吸収体とを具備するとともに、前記吸収体に排泄物を収納保持する便ポケットを設けた使い捨ての吸収性物品において、
前記吸収体内部に高吸収性ポリマーが混入されているとともに、前記高吸収性ポリマーの一部又は全部が前記便ポケットの周壁部及び／又は底面部に偏在して配置されていることを特徴とする吸収性物品。
【請求項３】
前記便ポケットを跨ぐ両側部位であってかつ前記吸収体とバックシートとの間に吸収性物品の長手方向に沿って弾性伸縮部材を配設してある請求項２記載の吸収性物品。
【請求項４】
前記トップシートが、ロール表面に凸部が複数設けられた凸ロールと、ロール表面に前記凸部が嵌入する凹部が複数設けられた凹ロールとからなるエンボスロールにより凹凸のエンボスが付与されている請求項１〜３いずれかに記載の吸収性物品。
【請求項５】
前記高吸収性ポリマーとして、体液中の不溶解成分を凝集する凝集成分又は体液中の不溶解成分を吸着する吸着成分を含む薬液を表面にコーティングしたものを用いる請求項１〜４いずれかに記載の吸収性物品。
【請求項６】
前記トップシートと吸収体との間にセカンドシートを備えるとともに、前記吸収体を囲繞するコアラップシートとを備え、前記トップシート、前記セカンドシート及びコアラップシートに夫々、多数の開孔が形成されるとともに、これら各シートに形成された開孔径の相対的関係がトップシート開孔径＞セカンドシート開孔径＞コアラップシート開孔径の関係にあることを特徴とする請求項１〜５いずれかに記載の吸収性物品。
【請求項７】
前記トップシートと吸収体との間にセカンドシートを備えるとともに、前記吸収体を囲繞するコアラップシートとを備え、かつ前記トップシートの上面に多数の開孔を有するメッシュシートが積層され、
前記トップシート、前記セカンドシート及びコアラップシートに夫々、多数の開孔が形成されるとともに、これら各シートに形成された開孔径及び前記メッシュシートに形成された開孔径の相対的関係がメッシュシート開孔径＞トップシート開孔径＞セカンドシート開孔径＞コアラップシート開孔径の関係にあることを特徴とする請求項１〜５いずれかに記載の吸収性物品。
【請求項８】
前記トップシートの上面に多数の開孔を有するメッシュシートが積層された請求項１〜５いずれかに記載の吸収性物品。
【発明の詳細な説明】
【技術分野】
【０００１】
本発明は、軟便又は水状軟便の拡散を防止した、使い捨ておむつ又は吸収パッド等の吸収性物品に関する。
【背景技術】
【０００２】
従来より、透液性トップシートと、バックシートとの間に吸収体が介在された使い捨ておむつが知られている（例えば、下記特許文献１〜２等参照）。
【０００３】
この種の使い捨ておむつにも幾多の改良が重ねられ、体液漏れを防止するために吸収体に大便の収容ポケットを形成したものが知られている。例えば、下記特許文献３では、皮膚と排泄物とが長時間接触しているとカブレなどの症状を引き起こすことになるため、バックシートと、開口を有するトップシートと、前記バックシートと前記トップシートの間に配置され、孔部を有する吸収体とを備える使い捨ておむつが開示されている。
【特許文献１】特開平７−３２８０６９号公報
【特許文献２】特開平７−３１３５５２号公報
【特許文献３】特開平４−３００５４３号公報
【発明の開示】
【発明が解決しようとする課題】
【０００４】
しかしながら、特に新生児用の場合には、軟便又は水状軟便が多く、トップシート上を流動して周囲に拡散し易く、漏れが発生し易いなどの問題があった。前述のように吸収体に便ポケットを形成した使い捨ておむつの場合は、軟便又は水状軟便が便ポケットに流入すれば、多くの場合、便の拡散を防止できるが、軟便又は水状軟便が多くなると、便ポケットに流入した軟便が外部に流出し拡散することがあった。さらに前記軟便又は水状軟便が拡散し、肌と長時間接触すると、皮膚炎やカブレを起こす原因となるなどの問題があった。
【０００５】
一方で、吸収体に排泄物を受け入れる便ポケットを形成した使い捨ておむつの場合、身体と吸収体とが密着し過ぎて臀部が前記便ポケットまで入り込んでいる状態であると、便ポケットの収容空間が縮小されるなどの問題があるとともに、吸収体が位置ズレし前記便ポケットが肛門部位からずれると排泄物の収容空間として機能しなくなるなどの問題があった。
【０００６】
そこで本発明の主たる課題は、軟便又は水状軟便の拡散を最小化し、体液漏れを防止するとともに、皮膚炎やカブレの発生を防止することにある。
【０００７】
第２に、吸収体に設けた便ポケットを排泄物の収容空間として確実に機能させることにある。
【課題を解決するための手段】
【０００８】
前記課題を解決するために請求項１に係る本発明として、少なくとも、表面側に配置されるトップシートと、裏面側に配置されるバックシートと、前記シート間に介在された吸収体とを具備した使い捨ての吸収性物品において、
前記吸収体内部に高吸収性ポリマーが混入されているとともに、前記高吸収性ポリマーの一部又は全部が表層側に偏在して配置されていることを特徴とする吸収性物品が提供される。
【０００９】
上記請求項１記載の本発明においては、通常は吸収体内に分散して混入される高吸収性ポリマーの一部又は全部を吸収体の表層側に偏在して配置するものである。従って、排出された軟便又は水状軟便は、前記高吸収性ポリマーによって速やかに吸収保持されるため周囲への拡散が最小化され、体液漏れが防止されるとともに、皮膚炎やカブレの発生を防止できるようになる。
【００１０】
請求項２に係る本発明として、少なくとも、表面側に配置されるトップシートと、裏面側に配置されるバックシートと、前記シート間に介在された吸収体とを具備するとともに、前記吸収体に排泄物を収納保持する便ポケットを設けた使い捨ての吸収性物品において、
前記吸収体内部に高吸収性ポリマーが混入されているとともに、前記高吸収性ポリマーの一部又は全部が前記便ポケットの周壁部及び／又は底面部に偏在して配置されていることを特徴とする吸収性物品が提供される。
【００１１】
上記請求項２記載の発明は、高吸収性ポリマーの一部又は全部を前記便ポケットの周壁部及び／又は底面部に偏在して配置するようにしたものであり、便ポケットに流入した軟便又は水状軟便は、前記高吸収性ポリマーによって速やかに吸収保持されるため、便ポケットに流入した便が再び外部に流出し拡散するのを防止することができる。
【００１２】
請求項３に係る本発明として、前記便ポケットを跨ぐ両側部位であってかつ前記吸収体とバックシートとの間に吸収性物品の長手方向に沿って弾性伸縮部材を配設してある請求項２記載の吸収性物品が提供される。
【００１３】
上記請求項３記載の発明は、前記便ポケットを跨ぐ両側部位であってかつ前記吸収体とバックシートとの間に吸収性物品の長手方向に沿って弾性伸縮部材を配設するものである。
【００１４】
前記便ポケットを跨ぐ両側部位に、吸収体とバックシートとの間に吸収性物品の長手方向に沿って弾性伸縮部材を配設することにより、前記弾性伸縮部材は便ポケットの両側部位において、吸収体を身体側へ押付けて身体に密着させる。すると、前記押付け部位に隣接する便ポケット部位では、吸収体が反作用的に便ポケットから離れるように外部方向に膨らみ、身体と離間するか浅く接触するようになるため、臀部が便ポケットの内部まで食い込まず、従来のように便ポケット空間が臀部で埋まって収容空間が縮小されることがなくなる。従って、便ポケットとしての空間が維持されるようになるため排泄物をきっちりと収容できるようになる。また、前記弾性伸縮部材が吸収体を身体側へ押し付けることで、便排出部位における吸収体のたわみ、うねり、ヨレ等を防止するため、前記便ポケットをきっちりと形成保持できるようになる。
【００１５】
請求項４に係る本発明として、前記トップシートが、ロール表面に凸部が複数設けられた凸ロールと、ロール表面に前記凸部が嵌入する凹部が複数設けられた凹ロールとからなるエンボスロールにより凹凸のエンボスが付与されている請求項１〜３いずれかに記載の吸収性物品が提供される。
【００１６】
上記請求項４記載の発明においては、トップシート表面の形成された凹凸が軟便の表面拡散速度を抑え、排便領域の近傍で吸収体に吸収され易くなる。
【００１７】
請求項５に係る本発明として、前記高吸収性ポリマーとして、体液中の不溶解成分を凝集する凝集成分又は体液中の不溶解成分を吸着する吸着成分を含む薬液を表面にコーティングしたものを用いる請求項１〜４いずれかに記載の吸収性物品が提供される。
【００１８】
上記請求項５では、前記高吸収性ポリマーとして、体液中の不溶解成分を凝集する凝集成分又は体液中の不溶解成分を吸着する吸着成分を含む薬液を表面にコーティングしたものを用いるようしている。血液、軟便又は水状軟便等は不溶解成分（固形分、油分等）を多く含有しており、これが高吸収性ポリマーの表面に付着し目詰まりを起こすことにより、吸収性能が阻害される傾向にある。従って、高吸収性ポリマーの表面に予め、体液中の不溶解成分を凝集する凝集成分又は体液中の不溶解成分を吸着する吸着成分を含む薬液をコーティングしておくと、前記不溶解成分を凝集させることにより、或いは不溶解成分を吸着することにより、体液の通り道が持続的に確保されるようになり、高吸収性ポリマーの吸収能力が向上するようになる。
【００１９】
請求項６に係る本発明として、前記トップシートと吸収体との間にセカンドシートを備えるとともに、前記吸収体を囲繞するコアラップシートとを備え、前記トップシート、前記セカンドシート及びコアラップシートに夫々、多数の開孔が形成されるとともに、これら各シートに形成された開孔径の相対的関係がトップシート開孔径＞セカンドシート開孔径＞コアラップシート開孔径の関係にあることを特徴とする請求項１〜５いずれかに記載の吸収性物品が提供される。
【００２０】
上記請求項６記載の発明では、前記トップシートと吸収体との間にセカンドシートを備えるとともに、前記吸収体を囲繞するコアラップシートとを備え、かつ前記トップシート、前記セカンドシート及びコアラップシートに夫々、多数の開孔が形成される態様の場合は、これら各シートに形成された開孔径の相対的関係がトップシート開孔径＞セカンドシート開孔径＞コアラップシート開孔径の関係にあると、軟便又は水状軟便が吸収体に吸収され易くなる。
【００２１】
請求項７に係る本発明として、前記トップシートと吸収体との間にセカンドシートを備えるとともに、前記吸収体を囲繞するコアラップシートとを備え、かつ前記トップシートの上面に多数の開孔を有するメッシュシートが積層され、
前記トップシート、前記セカンドシート及びコアラップシートに夫々、多数の開孔が形成されるとともに、これら各シートに形成された開孔径及び前記メッシュシートに形成された開孔径の相対的関係がメッシュシート開孔径＞トップシート開孔径＞セカンドシート開孔径＞コアラップシート開孔径の関係にあることを特徴とする請求項１〜５いずれかに記載の吸収性物品が提供される。
【００２２】
上記請求項７記載の発明では、前記トップシートと吸収体との間にセカンドシートを備えるとともに、前記吸収体を囲繞するコアラップシートとを備え、かつ前記トップシートの上面に多数の開孔を有するメッシュシートが積層され、前記トップシート、前記セカンドシート及びコアラップシートに夫々、多数の開孔が形成される態様の場合は、これら各シートに形成された開孔径及び前記メッシュシートに形成された開孔径の相対的関係がメッシュシート開孔径＞トップシート開孔径＞セカンドシート開孔径＞コアラップシート開孔径の関係にあると、軟便又は水状軟便が吸収体に吸収され易くなる。
【００２３】
請求項８に係る本発明として、前記トップシートの上面に多数の開孔を有するメッシュシートが積層された請求項１〜５いずれかに記載の吸収性物品が提供される。
【００２４】
上記請求項８記載の発明では、前記トップシートの上面に多数の開孔を有するメッシュシートを積層するようにしたものであり、排泄物を装着者の肌から極力遠ざけるとともに、直接的に接触する機会を少なくすることができる。
【発明の効果】
【００２５】
以上詳説のとおり、請求項１及び請求項２記載の本発明によれば、軟便又は水状軟便の拡散を最小化し、体液漏れを防止するとともに、皮膚炎やカブレの発生を防止することが可能となる。
【００２６】
また、請求項３記載の本発明によれば、吸収体に設けた便ポケットを排泄物の収容空間として確実に機能させることができる。
【００２７】
更に、請求項６、７記載の発明によれば、軟便又は水状軟便が吸収体に吸収され易くなる。
【発明を実施するための最良の形態】
【００２８】
以下、本発明の実施の形態について図面を参照しながら詳述する。
図１は本発明に係る使い捨て紙おむつの一部破断展開図、図２は横断面図である。
【００２９】
〔使い捨ておむつ構造〕
図１において、使い捨ておむつ１は、綿状パルプ等からなり、たとえば砂時計形状（または長方形状等）のある程度の剛性を有するとともに、クレープ紙等のコアラップシート５によって囲繞された吸収体４と、該吸収体４の表面側（使用面側）を覆うように配設された有孔または無孔の不織布や孔開きプラスチックシート等からなる透液性トップシート３と、前記吸収体４の裏面側に配設され、少なくとも吸収体４の全面積を覆うように配設されたポリエチレン等からなる防漏シート６と、この防漏シート６の外面側（非肌当接面側）に設けられた不織布からなるとともに、おむつ外形を画成する外面バックシート２と、紙おむつの両側部に表面側に起立する立体ギャザーＢＳを形成するとともに、おむつ両側部では前記防漏シート６及びバックシート２と共にサイドフラップ部ＳＦを構成するためのサイド不織布７、７と、おむつ背側両側部に設けられた機械接合式のファスニングテープ１０，１０とから主に構成されている。また、紙おむつ１の腹部ウエスト部および背側ウエスト部では、前記外面バックシート２、防漏シート６および透液性トップシート３が共に延在し、吸収体４の存在しないエンドフラップ部ＥＦが形成されている。
【００３０】
装着に当たっては、図９に示されるように、紙おむつ１の前身頃および後身頃をそれぞれ着用者の身体に当てがった後、前記ファスニングテープ１０，１０を腹側に持ち込み、外面バックシート２の表面に直接的に係合させて紙おむつを装着する。
【００３１】
以下、更に各構成部材について具体的に詳述すると、
前記透液性トップシート３は、有孔または無孔の不織布や多孔性プラスチックシートなどが好適に用いられる。不織布を構成する素材繊維としては、たとえばポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、エアスルー法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。前記透液性トップシート３としては、ロール表面に凸部が複数設けられた凸ロールと、ロール表面に前記凸部が嵌入する凹部が複数設けられた凹ロールとからなるエンボスロールを通過させることにより表面に凹凸のエンボスが付与されているものを用いるのが望ましい。トップシート表面の形成された凹凸が軟便の表面拡散速度を抑え、排便領域の近傍で吸収体に吸収され易くなる。
【００３２】
前記防漏シート６は、ポリエチレンやポリプロピレン等のオレフィン系樹脂シートなどの少なくとも遮水性を有するシート材が用いられ、漏れを防止するために少なくとも吸収体４の全面積を覆う範囲に設置される。近年は、ムレ防止の点から透湿性を有するものが好適に用いられる。この遮水・透湿性シートは、たとえばポリエチレンやポリプロピレン等のオレフィン樹脂中に無機充填材を溶融混練してシートを形成した後、一軸または二軸方向に遠心することにより得られる微多孔性シートであり、仮にシート厚が同じであれば無孔シートよりも剛性が低下するため、柔軟性の点で勝るものとなる。
【００３３】
前記サイド不織布７としては、重要視する機能の点から撥水処理不織布または親水処理不織布を使用することができる。たとえば、経血やおりもの等が浸透するのを防止する、あるいは肌触り感を高めるなどの機能を重視するならば、シリコン系、パラフィン系、アルキルクロミッククロリド系撥水剤などをコーティングした撥水処理不織布を用いることが望ましい。また、体液等の吸収性を重視するならば、合成繊維の製造過程で親水基を持つ化合物、例えばポリエチレングリコールの酸化生成物などを共存させて重合させる方法や、塩化第２スズのような金属塩で処理し、表面を部分溶解し多孔性とし金属の水酸化物を沈着させる方法等により合成繊維を膨潤または多孔性とし、毛細管現象を応用して親水性を与えた親水処理不織布を用いるようにすることが望ましい。
【００３４】
前記透液性トップシート３は、吸収体４側縁よりも若干外方に突出し、前記防漏シート６と接合されている。前記サイド不織布７は、前記吸収体４の側縁部近傍よりも外側部分が外縁まで延び、前記防漏シート６及び外面バックシート２と接合され、この積層シート部分によってサイドフラップＳＦを構成している。
【００３５】
このサイドフラップ部ＳＦにおいては、紙おむつ長手方向に複数本、図示の例では２本の弾性伸縮部材８，８が配設され、平面ギャザーが形成されている。この平面ギャザーは、着用した際に紙おむつをきっちりと脚周りにて保持することにより、フィット性を向上させ紙おむつがずれるのを防止する。
【００３６】
他方、前記サイド不織布７の前記固着部よりも内方側の不織布シート部分によって表面側に起立する立体ギャザーＢＳが形成されている。この立体ギャザーＢＳは、吸収体４の側縁近傍位置に起立端を有し、その先端が紙おむつ長手方向に沿って二重に折り返され、この折り返し部の内方に１本の弾性伸縮部材９を、または必要により複数本の弾性伸縮部材を配設することにより、その伸縮力を利用して立体ギャザーＢＳを起立させるようになっている。
【００３７】
前記弾性伸縮部材８，９としては、通常使用されるスチレン系ゴム、オレフィン系ゴム、ウレタン系ゴム、エステル系ゴム、ポリウレタン、ポリエチレン、ポリスチレン、スチレンブタジエン、シリコン、ポリエステル等の素材を用いることができる。
【００３８】
前記サイド不織布７を構成する素材繊維としては、ポリエチレンまたはポリプロピレン等のオレフィン系、ポリエステル系、アミド系等の合成繊維の他、レーヨンやキュプラ等の再生繊維、綿等の天然繊維とすることができ、スパンボンド法、エアスルー法、メルトブローン法、ニードルパンチ法等の適宜の加工方法に得られた不織布を用いることができるが、特にサイドフラップ部ＳＦを構成する前記サイド不織布７は、ゴワ付き感を無くすとともに、ムレを防止するために、坪量を抑えて通気性に優れた不織布を用いるのがよい。
【００３９】
前記機械接合式のファスニングテープ１０は、プラスチック、ポリラミ不織布、不織布、紙等のファスニング基材１０Ａの基部がおむつに接合されている。前記ファスニング基材１０Ａの突出片部分でかつ表面側（透液性トップシート３側の面）にフック要素１０Ｂを有する。前記フック要素１０Ｂは、ファスニング基材１０Ａに接着剤により剥離不能に接着されている。前記フック要素１０Ｂは、その外面に多数の係合片１０ｂ、１０ｂ…を有する。係合片１０ｂの形状としては、例えばレ字状、Ｊ字状、マッシュルーム状、Ｔ字状等のものが存在するが、いずれの形状であってもよい。好ましいのはＴ字状のものである。前記ファスニングテープ１０は製品状態では、透液性トップシート３側に折り畳まれ、前記フック要素１０Ｂがサイド不織布７に対して剥離可能に接合された状態となっている。
【００４０】
前記外面バックシート２としては不織布が用いられる。不織布を構成する素材繊維としては、ポリエチレンまたはポリプロピレン等のオレフィン系、ポリエステル系、ポリアミド系等の合成繊維の他、レーヨンやキュプラ等の再生繊維、綿等の天然繊維とすることができ、エアスルー法、スパンレース法、スパンボンド法、サーマルボンド法、メルトブローン法、ニードルパンチ法等の適宜の加工法によって得られた不織布を用いることができる。これらの不織布の中でも、不織布製造時にドラム搬送過程で加熱空気を送り繊維同士を熱融着させるエアスルー法により製造された不織布が好適に用いられる。前記エアスルー法は、高温空気の熱によって繊維同士を融着させるため、空間割合が高くふんわりとした感触と、嵩高であるなどの利点を有し、前記ファスニングテープ１０の係合力を向上させることができる。
【００４１】
前記吸収体４は、たとえばフラッフ状パルプ等の吸収性繊維と高吸収性ポリマー１２とにより構成され、図示例では脚回りへの当たりを和らげるために両側部に夫々括れ部を有する略砂時計状とされる。前記高吸収性ポリマー１２は例えば粒状粉とされ、吸収体４を構成するパルプ中に後述する配置態様で混入されている。
【００４２】
前記パルプとしては、木材から得られる化学パルプ、溶解パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。図示例のように、吸収体４をクレープ紙５で囲繞する場合には、結果的に透液性表面シート３と吸収体４との間にクレープ紙が介在することになり、吸収性に優れる前記クレープ紙５によって体液を速やかに拡散させるとともに、これら経血等の逆戻りを防止するようになる。
【００４３】
前記高吸収性ポリマー１２としては、たとえばポリアクリル酸塩架橋物、自己架橋したポリアクリル酸塩、アクリル酸エステル−酢酸ビニル共重合体架橋物のケン化物、イソブチレン・無水マレイン酸共重合体架橋物、ポリスルホン酸塩架橋物や、ポリエチレンオキシド、ポリアクリルアミドなどの水膨潤性ポリマーを部分架橋したもの等が挙げられる。これらの内、吸水量、吸水速度に優れるアクリル酸またはアクリル酸塩系のものが好適である。前記吸水性能を有する高吸収性ポリマーは製造プロセスにおいて、架橋密度および架橋密度勾配を調整することにより吸水力（吸収倍率）と吸水速度の調整が可能である。本発明で好適に使用される高吸収性ポリマー１２の吸収倍率は概ね２０〜３０倍のものである。
【００４４】
また、前記高吸収性ポリマー１２としては、体液中の不溶解成分（固形分、油分等）を凝集する凝集成分又は体液中の不溶解成分を吸着する吸着成分を含む薬液を表面にコーティングしたものを用いるのが望ましい。高吸収性ポリマー１２の表面に予め、体液の不溶解成分を凝集する凝集成分又は体液の不溶解成分を吸着する吸着成分を含む薬液をコーティングしておくと、体液中の不溶解成分を凝集させることにより、或いは体液中の不溶解成分を吸着することにより、体液の通り道が持続的に確保されるようになり、高吸収性ポリマー１２の吸収能力が向上するようになる。
【００４５】
前記吸収体４を囲繞するコアラップシート５としては、クレープ紙、親水性不織布等、吸収体４への体液吸収を阻害することなく、体液等を透過させ、かつ吸収体４が崩れないように形状保持するものであればどのようなシートを用いてもよい。このコアラップシート５は、無孔シートの他、多数の開孔が形成された多孔シートを用いることができる。
【００４６】
また、前記トップシート３と吸収体４との間には、親水性不織布からなるセカンドシートを介在させるようにしてもよい。このセカンドシートは、無孔シートの他、多数の開孔が形成された多孔シートを用いることができる。
【００４７】
前記親水性不織布としては、レーヨンやキュプラ等の再生繊維、綿等の天然繊維を用いることにより素材自体に親水性を有するものを用いるか、ポリエチレンまたはポリプロピレン等のオレフィン系、ポリエステル系、ポリアミド系等の合成繊維を親水化剤によって表面処理し親水性を付与した繊維を用いることにより親水性を有するようにしたものを好適に用いることができる。
【００４８】
更に、前記トップシート３の上面に、排泄物を装着者の肌から極力遠ざけるとともに、直接的に接触する機会を少なくする観点から多数の開孔が形成されたメッシュシートを配置するようにしてもよい。このメッシュシートとしては、有孔の不織布や多孔性プラスチックシートなどが好適に用いられる。また、多孔の親水性不織布を用いる場合は、シートの嵩は極力高いものが望ましい。また、シート嵩を高くするとともに、親水剤の浸透性を良好にするため、メッシュシートを構成する繊維の繊度は４dtex以下とするのが望ましい。シートの嵩を上げた場合は着用者の肌に触れると異物感を与えてしまうため、繊度を下げて嵩高さと柔らかさとを両立させることが望ましい。
【００４９】
一方、前記吸収体４においては、図１及び図３に示されるように、吸収体４の便排出部位を含む範囲又はその近傍部位に、該吸収体４を所定の面形状で窪ませた便ポケット４ａが形成されている。なお、吸収体４は前記便ポケット４ａを形成する場合でも、前記クレープ紙５は吸収体４全体を囲繞していることが望ましい。
【００５０】
前記便ポケット４ａは、吸収体４に排泄された大便を分離して収容するための貯留空間として機能するものであり、便排出部位を含む範囲又はその近傍部位に形成される。平面形状は、図示される五角形状の他、円形、楕円、四角形、六角形等の多角形状等、任意の形状とすることができる。平面積は１〜１００cm２、好ましくは２〜５０cm２とするのが望ましく、深さは０．１〜１．０cm、好ましくは０．２〜０．５cmとするのが望ましい。平面積が３cm２未満の場合は、排泄された大便をうまく便ポケット４ａに導くことができない。また、１００cm２を超える場合には、吸収体体積の減少により吸収量の低下を招くことになり好ましくない。また、深さが０．１cm未満の場合は、便ポケット４ａとしての十分な空間が確保できない。
前記高吸収性ポリマー１２は、前記吸収体４内部に下記の態様で配置することができる。
【００５１】
（第１形態例）
前記便ポケット４ａを除く吸収体４部分において、図４(A)(B)に模式図として示されるように、前記高吸収性ポリマー１２，１２…の一部又は全部を吸収体４の表層側に偏在して配置された態様とすることができる。従って、排出された軟便又は水状軟便は、前記高吸収性ポリマー１２，１２…によって速やかに吸収保持されるため、周囲への拡散が最小化され、体液漏れが防止されるとともに、皮膚炎やカブレの発生を防止できるようになる。なお、前記「高吸収性ポリマー１２，１２…の一部」とは、例えば吸収体４内部に高吸収性ポリマーを均一に分散して配置しながら、一部の高吸収性ポリマー１２を表層側に偏在して配置された態様をいい、前記「高吸収性ポリマー１２，１２…の全部」とは、吸収体４の表層側にのみ高吸収性ポリマー１２が配置されている態様（図示例）をいう。
【００５２】
（第２形態例）
図５(A)に示されるように、前記便ポケット４ａを除く吸収体４部分では、前記高吸収性ポリマー１２，１２…の一部又は全部を吸収体４の表層側に偏在して配置され、前記便ポケット４ａ部位では、図５(B)に示されるように、前記便ポケット４ａの底面部及び周壁部に偏在して配置された態様とすることができる。従って、便ポケット４ａ以外の部分に排便された場合には、前記高吸収性ポリマー１２，１２…によって速やかに吸収保持されるため、周囲への拡散が最小化され、体液漏れが防止されるとともに、皮膚炎やカブレの発生を防止できるようになる。また、便ポケット４ａ内に排便された場合には、便ポケット４ａに流入した軟便又は水状軟便は、前記高吸収性ポリマー１２，１２…によって速やかに吸収保持されるため、便ポケット４ａに流入した便が再び外部に流出し拡散するのを防止することができる。
なお、前記便ポケット４ａ部位では、図６(A)に示されるように、前記便ポケット４ａの周壁部にのみ偏在させて高吸収性ポリマー１２、１２…を配置するようにしてもよいし、図６(B)に示されるように、前記便ポケット４ａの底面部にのみ偏在させて高吸収性ポリマー１２，１２…を配置するようにしてもよい。
【００５３】
（第３形態例）
前記便ポケット４ａを除く吸収体４部分では、高吸収性ポリマー１２を吸収体４内部に均一に分散して配置する一方で（図示せず）、前記便ポケット４ａ部位において、便ポケット４ａの底面部及び／又は周壁部に偏在させて高吸収性ポリマー１２を配置する態様とすることができる。
【００５４】
（第４形態例）
排出された軟便又は水状軟便を速やかに吸収体４に吸収させるためには、前記トップシート３は多数の開孔を有するシートを用い、かつ吸収体４との間にセカンドシートを備える場合には、このセカンドシートを多数の開孔を有するシートとし、更に前記吸収体４を囲繞するコアラップシート５を多数の開孔が形成された多孔シートとするのが望ましい。この場合、これら各シートに形成された開孔径の相対的関係がトップシート開孔径＞セカンドシート開孔径＞コアラップシート開孔径の関係にあることが望ましい。前記トップシートの開孔径は０．６〜１．５mmとするのが望ましく、前記セカンドシートの開孔径は０．４〜０．６mとするのが望ましく、前記コアラップシートの開孔径は０．２〜０．４mmとするのが望ましい。前記コアラップシートの開孔径は、開孔から高吸収性ポリマーが脱落しないようにするため該ポリマーの平均粒子径よりも小さくするのが望ましい。特には、ポリマーの粒径分布においては、コアラップシートの開孔径よりも大きい粒径のポリマーが８０％以上となることがより望ましい。また、同様に、吸収体にパルプ繊維を用いる場合は、コアラップシートの開孔からパルプ繊維の脱落を防止するため、繊維長は長いものが望ましい。更に、繊維長２mm以上の合成繊維、特にトウ繊維のような連続繊維を用いるのがより望ましい。
【００５５】
なお、前記各シートの開孔は全面に設けても良いし、便の排出領域に対応して所定エリアのみに設けても良いし、更に前記便ポケット４ａが設けられる場合には、便ポケット４ａに対応して所定エリアに設けるようにしてもよい。更に、前記トップシート３，セカンドシート及びコアラップシート５のシート密度については、吸収体４への吸収性を考慮し、吸収体４に近づくほど大きくなるように設定するのが望ましい。本第４形態例の場合は、トップシート密度＜セカンドシート密度＜コアラップシート密度の関係とし、更に前記吸収体４の密度を前記コアラップシート密度よりも大きく設定するのが望ましい。
【００５６】
（第５形態例）
上記第４形態例において、更に前記トップシート３の上面にメッシュシートを積層させる態様の場合は、前記トップシート３，セカンドシート及びコアラップシート５の各シートに形成された開孔径及び前記メッシュシートに形成された開孔径の相対的関係がメッシュシート開孔径＞トップシート開孔径＞セカンドシート開孔径＞コアラップシート開孔径の関係にあることが望ましい。前記メッシュシートの開孔径は１．５〜６．０mmとするのが望ましい。この場合も、前記トップシート３，セカンドシート及びコアラップシート５のシート密度については、吸収体４への吸収性を考慮し、吸収体４に近づくほど大きくなるように設定するのが望ましい
【００５７】
（第６形態例）
ところで、図１及び図８に示されるように、少なくとも前記便ポケット４ａの形成部位においては、便ポケット４ａを跨ぐ両側部位であってかつ前記吸収体４とバックシート２との間におむつ長手方向に沿って弾性伸縮部材１１，１１を配設するのが望ましい。
【００５８】
前記弾性伸縮部材１１，１１は、図８の模式図に示されるように、便ポケット４ａの両側部位において、吸収体４を身体側へ押付けて身体に密着させる。ある程度の剛性を有する吸収体４は、反作用的に押付け部位の隣接箇所が身体から離れるように膨むようになる。その結果、便ポケット４ａ部位では吸収体４が身体と離間するか、浅く接触するようになる。いずれにしても身体が便ポケット４ａの内部まで入り込まなくなるため、従来のように、便ポケット空間４ａが身体で埋まり収容容積が減少することが防止でき、排泄物をきっちりと収容保持できるようになる。
【００５９】
前記弾性伸縮部材１１の配設位置は、前記便ポケット４ａの中央から１〜１０cm、好ましくは１．５〜６cmの距離位置とするのが望ましい。前記弾性伸縮部材１１の配置位置は、吸収体４の幅寸法以内とするのが望ましい。この場合、本形態例のように吸収体４の側部にフィットカットを有する砂時計状の場合は、吸収体４の最大幅内とし、フィットカット部分を縦断するように配置されていてもよい。
【００６０】
前記弾性伸縮部材１１は、図示例では片側１本づつとしたが、複数本づつ配置することでもよい。伸縮力としては、片側当たり３０〜９０ｇ、好ましくは４０〜８０ｇとするのが望ましい。伸縮力が３０ｇ未満の場合は、吸収体４に対する十分な押付け力を確保することができず、所望の効果を得ることができない。
前記弾性伸縮部材１１を、図１に示されるように、前記吸収体４の側縁近傍に配置する場合には、吸収体４の側縁部を身体側に起立させるようになるため、股間部から後身頃側にかけての範囲でフィット性が上がり、排泄物の漏れを効果的に防止する。また、前記弾性伸縮部材１１を、同図１に示されるように、吸収体４のほぼ全長に亘り配設することにより、便の排泄部位はもとより吸収体側縁部分の長い範囲を身体側に立ち上がらせることにより、さらにフィット性が上がり、排泄物の漏れを効果的に防止する。
【００６１】
〔他の形態例〕
(1)上記形態例では、便ポケット４ａを形成した吸収体４の例について述べたが、便ポケット４ａを有しない吸収体４の場合は、吸収体４の全面又は便排出部位を含む範囲において、高吸収性ポリマー１２を表層側に偏在して配置するようにすればよい。
(2)上記形態例では外面バックシート２と防漏シート６とが別々の部材であるとしたが、予めフィルムと不織布とがラミネートされたラミネート不織布を用いることもできる。
(3)上記形態例では、身体側から面状に窪みを形成した便ポケット４ａとしたが、吸収体４を完全に刳り抜いて裏面に貫通する便ポケットとしてもよい。この場合、便ポケット４ａ部位では、周壁部分にのみ高吸収性ポリマー１２を配置すればよい。
(4)上記形態例では、テープ式紙おむつを例に採り本発明を説明したが、本発明はパンツ型使い捨ておむつ、吸収パッド等の吸収性物品に対しても同様に適用が可能である。
【図面の簡単な説明】
【００６２】
【図１】本発明に係る使い捨ておむつ１の一部破断展開図である。
【図２】図１のII−II線矢視図である。
【図３】図１のIII−III線矢視図である。
【図４】第１形態例に係る高吸収性ポリマー１２の配置態様を示す、(A)は一般部、(B)は便ポケット部の模式図である。
【図５】第２形態例に係る高吸収性ポリマー１２の配置態様を示す、(A)は一般部、(B)は便ポケット部の模式図である。
【図６】便ポケット４ａ部における高吸収性ポリマー配置の変形例を示す模式図である。
【図７】第３形態例に係る高吸収性ポリマー１２の配置態様を示す便ポケット部の模式図である。
【図８】弾性伸縮部材１１の作用を説明するための模式図である。
【図９】使い捨ておむつの装着状態を示す斜視図である。
【符号の説明】
【００６３】
１…使い捨ておむつ、２…外面バックシート、３…透液性トップシート、４…吸収体、４ａ…便ポケット、５…クレープ紙、６…防漏シート、７…サイド不織布、８・９…弾性伸縮部材、１０…ファスニングテープ、ＳＦ…サイドフラップ、ＥＦ…エンドフラップ、１１…弾性伸縮部材、１２…高吸収性ポリマー
【図１】
2007117727.tif 000003
【図２】
2007117727.tif 000004
【図３】
2007117727.tif 000005
【図４】
2007117727.tif 000006
【図５】
2007117727.tif 000007
【図６】
2007117727.tif 000008
【図７】
2007117727.tif 000009
【図８】
2007117727.tif 000010
【図９】
2007117727.tif 000011